(57)【要約】【課題】安定した薬剤揮散性能を奏し、かつシンプルで使いやすい薬剤残量表示機能を備えたタイプの薬剤揮散装置の提供。【課題の解決手段】薬剤を昇華性物質又はゲル形成体に担持させてなる薬剤担持体を回転駆動装置によって回転させ、遠心力が作用する状況下で前記薬剤担持体から前記薬剤を揮散させる薬剤揮散装置において、前記薬剤担持体が通気性の紙又は不織布にて形成された可撓性袋に収納されており、使用経過に伴い前記薬剤担持体が縮小してもその少なくとも一部が前記可撓性袋の紙又は不織布の内面に接する構成となし、前記薬剤担持体の消失状態を目視することによって、前記薬剤の揮散終点を認知できるようにした薬剤揮散装置。【選択図】図１
2006296335.tif 000002
【特許請求の範囲】
【請求項１】
薬剤を昇華性物質又はゲル形成体に担持させてなる薬剤担持体を回転駆動装置によって回転させ、遠心力が作用する状況下で前記薬剤担持体から前記薬剤を揮散させる薬剤揮散装置において、前記薬剤担持体が通気性の紙又は不織布にて形成された可撓性袋に収納されており、使用経過に伴い前記薬剤担持体が縮小してもその少なくとも一部が前記可撓性袋の紙又は不織布の内面に接する構成となし、前記薬剤担持体の消失状態を目視することによって、前記薬剤の揮散終点を認知できるようにしたことを特徴とする薬剤揮散装置。
【請求項２】
昇華性物質が、２，４，６−トリイソプロピル−１，３，５−トリオキサン、又はアダマンタンであることを特徴とする請求項１記載の薬剤揮散装置。
【請求項３】
ゲル形成体が、Ｎ−アシルアミノ酸誘導体系ゲル化剤を含むことを特徴とする請求項１記載の薬剤揮散装置。
【請求項４】
薬剤が、一般式（Ｉ）
【化１】
2006296335.tif 000006
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種であることを特徴とする請求項１ないし３のいずれかに記載の薬剤揮散装置。
【発明の詳細な説明】
【技術分野】
【０００１】
本発明は、薬剤担持体を回転させ遠心力の作用によって薬剤を揮散させるタイプの薬剤揮散装置の改良に関するものである。
【背景技術】
【０００２】
害虫、例えば蚊や蚋などを駆除するために、薬剤を閉鎖空間（室内や自動車の車内、アウトドアスポーツにおけるテント内など）全体に揮散、放出させる薬剤揮散方法として、熱エネルギーを利用した蚊取線香や電気蚊取マット、液体式電気蚊取(リキッド)が一般的であるが、常温でファン等の風力を利用して薬剤を揮散、放出させる方法も実用化されている。後者の方法は必ずしも交流電源を必要とせず、持ち運びが可能であることから携帯用として有用であり、本発明者らも特開２００１−２４７４０６号公報において、薬剤含浸体を収納するカートリッジをモーターで回転させ薬剤をより効率的に揮散、放出させる薬剤揮散方法を開示した。
【０００３】
しかしながら、特開２００１−２４７４０６号公報に開示のものを含め、従来のファン式薬剤揮散装置は、薬剤含浸体を収納するカートリッジの使用期限を知らせる機能が十分満足のいくものとは言えない。例えば、薬剤含浸体に有効成分量と連動する色素などを配合して色の変化を利用する方法があるが、終点が不明瞭であるし、またカートリッジの使用期限と乾電池の寿命を同一に設定する方法にしても、乾電池の性能が多岐にわたることから一致させることは難しい。
最近、液晶表示を用いた製品が市販されているが、電気的制御機構を必要とするため装置が複雑で、コスト高を余儀なくされている。
【０００４】
ところで、薬剤残量表示のインジケーターとして昇華性物質やゲル形成体を利用する提案はいくつか知られている。例えば、特開平７−１４９６０１号公報には、常温揮散性防虫薬剤と昇華性物質とを組み合わせた錠剤を、通気性材料からなる包装容器内に収納し、昇華性物質の消失状態によって防虫薬剤の残存状態を認知し得ることが記載されている。また、特開昭６３−２２２１０４号公報には、同様に常温揮散性防虫薬剤とゲル形成体を組み合わせたゲル型防虫剤が開示されている。
しかしながら、これらの提案の防虫剤は、タンス等で静置して使用した際、昇華性物質やゲル形成体の消失が気温等の環境条件によって著しく左右されるという問題を有する。このため、昇華性物質やゲル形成体のインジケーターへの応用は、明瞭な終点表示が要求されない防虫剤に留まっているのが現状である。
【特許文献１】特開２００１−２４７４０６号公報
【特許文献２】特開平７−１４９６０１号公報
【特許文献３】特開昭６３−２２２１０４号公報
【発明の開示】
【発明が解決しようとする課題】
【０００５】
本発明は、安定した薬剤揮散性能を奏し、かつシンプルで使いやすい薬剤残量表示機能を備えたタイプの薬剤揮散装置を提供することを目的とする。
【課題を解決するための手段】
【０００６】
本発明は、上記課題を解決するため、次のような構成を採用する。
（１）薬剤を昇華性物質又はゲル形成体に担持させてなる薬剤担持体を回転駆動装置によって回転させ、遠心力が作用する状況下で前記薬剤担持体から前記薬剤を揮散させる薬剤揮散装置において、前記薬剤担持体が通気性の紙又は不織布にて形成された可撓性袋に収納されており、使用経過に伴い前記薬剤担持体が縮小してもその少なくとも一部が前記可撓性袋の紙又は不織布の内面に接する構成となし、前記薬剤担持体の消失状態を目視することによって、前記薬剤の揮散終点を認知できるようにした薬剤揮散装置。
（２）昇華性物質が、２，４，６−トリイソプロピル−１，３，５−トリオキサン、又はアダマンタンである（１）記載の薬剤揮散装置。
（３）ゲル形成体が、Ｎ−アシルアミノ酸誘導体系ゲル化剤を含む（１）記載の薬剤揮散装置。
（４）薬剤が、一般式（Ｉ）
【化１】
2006296335.tif 000003
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種である（１）ないし（３）のいずれかに記載の薬剤揮散装置。
【発明の効果】
【０００７】
本発明の薬剤揮散装置は、薬剤担持体をモーターの如き回転駆動装置によって回転させるタイプであって、薬剤の揮散と担体である昇華性物質又はゲル形成体の消失がほぼ平行的に進行して優れた殺虫効力を奏するとともに、かつシンプルで使いやすい薬剤残量表示機能を備えるので、その実用性は極めて高い。
【発明を実施するための最良の形態】
【０００８】
本発明で用いられる薬剤としては、揮散性に優れた殺虫成分、殺ダニ成分、忌避成分、抗菌成分、消臭成分、芳香成分等があげられる。殺虫成分としては、エムペントリンやテフラメトリンの外、特に一般式（Ｉ）
【化２】
2006296335.tif 000004
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた常温揮散性殺虫成分が好適である。これらの化合物は、従来のアレスリン、フラメトリン及びプラレトリンに比べて蒸気圧が高く、蚊、ハエ、ブユ、ユスリカなどの害虫に対する殺虫効力も優れている。なお、化合物の酸成分において、不斉炭素に基づく光学異性体や幾何異性体が存在する場合、それらの各々や任意の混合物も本発明に包含されることはもちろんである。
【０００９】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−２，２−ジメチル−３−（２−クロロ−２−トリフルオロメチルビニル）シクロプロパンカルボキシレート（以後、化合物Ｉと称す）、４−プロパルギル−２，３，５，６−テトラフルオロベンジル−２，２−ジメチル−３−（１−プロペニル）シクロプロパンカルボキシレート（以後、化合物Ｊと称す）、４−メチル−２，３，５，６−テトラフルオロベンジル−２，２−ジメチル−３−ビニルシクロプロパンカルボキシレート（以後、化合物Ｋと称す）、２，３，５，６−テトラフルオロベンジル−２，２，３，３−テトラメチルシクロプロパンカルボキシレート（以後、化合物Ｌと称す）、又は４−メトキシメチル−２，３，５，６−テトラフルオロベンジル−２，２，３，３−テトラメチルシクロプロパンカルボキシレート（以後、化合物Ｍと称す）をあげることができる。
【００１０】
また、他の薬剤としては、例えば、ディート、ジメチルフタレート、２−エチル−１，３−ヘキサンジオール等の忌避成分、ヒノキチオール、テトラヒドロリナロール、オイゲノール、シトロネラール、アリルイソチオシアネート等の抗菌成分、シトロネラ油、オレンジ油、レモン油、ライム油、ユズ油、ラベンダー油、ペパーミント油、ユーカリ油、ジャスミン油、檜油、緑茶精油、リモネン、α−ピネン、リナロール、ゲラニオール、フェニルエチルアルコール、アミルシンナミックアルデヒド、クミンアルデヒド、ベンジルアセテート等の芳香成分、「緑の香り」と呼ばれる青葉アルコールや青葉アルデヒド配合の香料成分等があげられる。
【００１１】
本発明は、前記薬剤の担体として昇華性物質又はゲル形成体を用いる。これは、本発明者らの新たな知見、すなわち、静置状態における昇華性物質又はゲル形成体の消失速度は、環境条件に大きく左右され安定しないが、遠心力が作用する状況下では、昇華性物質又はゲル形成体は薬剤の揮散を伴ってほぼ一定速度で消失するという試験結果に基づくものである。
【００１２】
昇華性物質としては、２，４，６−トリイソプロピル−１，３，５−トリオキサン［商品名：サンサブリ（小川香料株式会社製）］、アダマンタン、トリシクロドデカン［商品名：アイサワーＤ（出光石油化学株式会社製）］、２−ヒドロキシカンファー（慣用名：ボルネオール）、２,２−ジメチル−１,３−プロパンジオール（慣用名：ネオペンチルグリコール）、などがあげられ、なかでも、２，４，６−トリイソプロピル−１，３，５−トリオキサンやアダマンタンが使いやすい。
【００１３】
昇華性物質の形状は任意であるが、板状、棒状、円盤状、ドーナツ状などに成形された錠剤が一般的である。また、昇華性物質（通常０．５〜８ｇ、好ましくは１〜４ｇ）に対する薬剤担持量は、２０〜１５０ｍｇ、好ましくは３０〜８０ｍｇが適当である。薬剤の担持量が２０ｍｇより少ない場合、効力（特に殺虫効力）の持続性に不足を生じる場合があり、一方、担持量の最大量は、担体の吸液能等を考慮して１５０ｍｇ以下が好ましい。
薬剤を担持させるに際しては、必要に応じ溶剤、界面活性剤、分散剤などを用いて薬剤を成形された昇華性物質に含浸させてもよいし、あるいは薬剤と昇華性物質の混合物を溶融後冷却するか、もしくは加圧機を用いて錠剤状に成形することができる。
【００１４】
一方、ゲル形成体としては、Ｎ−アシルアミノ酸誘導体系ゲル化剤、２−エチルヘキサン酸のアルミニウム塩、１２−ヒドロキシステアリン酸などのゲル化剤を用いて形成したものがあげられるが、ゲル形成性や保形性、あるいは薬剤の揮散性等の点からＮ−アシルアミノ酸誘導体系ゲル化剤を含むタイプが好ましい。
Ｎ−アシルアミノ酸誘導体系ゲル化剤には、Ｎ−アシルアミノ酸エステル、Ｎ−アシルアミノ酸アミド及びＮ−アシルアミノ酸アミン塩があるが、例えば、Ｎ−ラウロイル−Ｌ−グルタミン酸−α，γ−ジ−ｎ−ブチルアミド［味の素株式会社製、商品名：油ゲル化剤ＧＰ−１］(以降、ゲル化剤Ａと称す)が安全性も高く使いやすい。
【００１５】
ゲル化剤Ａと共に用いられる溶剤としては、パラフィン系もしくは芳香族系炭化水素類、脂肪族もしくは芳香族系エステル類等を使用できる。かかる具体例を例示すれば、中央化成株式会社製のデオトミゾールＳ、ネオチオゾールＳ、日本石油化学株式会社製のソルベトＨ、日鉱石油化学株式会社製のＳＨ−ＮＰ、出光石油化学株式会社製のＩＰソルベント−２８３５、エクソン化学株式会社製のアイソパーＶなどの炭素数が１３〜１６のパラフィン系溶剤や、フタール酸、フマール酸、マレイン酸、あるいはアジピン酸等の低級アルキルエステル類などがあげられる。
ゲル化剤Ａを用いた薬剤担持体における各成分の配合比率は、薬剤１重量部当たりゲル化剤Ａが０．１〜１０重量部、溶剤が１０〜５０重量部が適当である。そして、薬剤担持体は、前記溶剤に所定量のゲル化剤Ａを添加して溶解温度以上（約７０〜１５０℃）で加熱溶解した後、薬剤の所定量を加えて静置冷却することによって容易に調製できる。
【００１６】
本発明で用いる薬剤担持体には、安定剤、香料、着色剤、帯電防止剤などを適宜配合してもよい。色彩の付加は、商品価値を高めるだけでなく、薬剤の揮散終点を明瞭に視認させえることから特に好ましい。
【００１７】
本発明は、昇華性物質又はゲル形成体の消失状態を目視することによって、薬剤の揮散終点、すなわち薬剤担持体の使用終点と、回転駆動装置の使用時間を認知できるようにしたものであり、液晶表示器のような電気的制御機構を必要としないので安価で使いやすく、しかも回転駆動装置の使用時間をほぼ正確に知らせることができる。
【００１８】
本発明では、担体の一部として昇華性物質又はゲル形成体以外のものを使用することもできる。例えば紙、パルプ、ビスコースなどのセルロース系担体、エチレン−酢酸ビニール系樹脂、ポリエステル、オレフィンポリマーなどの合成樹脂担体、ケイ酸カルシウムなどの無機質担体などがあげられる。ただし、これらの担体は薬剤の揮散にのみ関与し、表示機能は昇華性物質又はゲル形成体に委ねられることは勿論である。
【００１９】
本発明は、薬剤担持体が通気性の紙又は不織布にて形成された可撓性袋に収納され、使用経過に伴い前記薬剤担持体が縮小してもその少なくとも一部が可撓性袋の紙又は不織布の内面に接する構成となしたことに特徴を有する。すなわち、担体である昇華性物質又はゲル形成体の表面に滲出した薬剤が通気性の紙又は不織布に移行・拡散し、薬剤の揮散と薬剤担持体の消失がより平行的に進行するように改良したものである。
紙又は不織布の材質としては、和紙、パルプ紙など、天然繊維、レーヨン等の半合成繊維、ポリエチレン（ＰＥ）、ポリプロピレン（ＰＰ）等のポリオレフィン、あるいはエチレン−酢酸ビニール（ＥＶＡ）等の薬剤吸着性の合成繊維等があげられるがこれらに限定されない。
【００２０】
紙又は不織布は、その目付が１０〜６０ｇ／ｍ2程度のものが好ましい。目付量が大きくなり過ぎると、薬剤の揮散制御が難しくなることに加え、可撓性が損なわれたり、不透明度が増して外から薬剤担持体の消失が視認しずらくなるため好ましくない。
また、紙又は不織布は、単独の材質に限らず、例えば、レーヨンにポリプロピレンを混合させたような混紡を用い、シール性を付与するようにしてもよい。
【００２１】
本発明では、薬剤担持体の安定した回転を得るために、可撓性袋に収納された薬剤担持体の上下両側面それぞれ上側部分及び下側部分によって囲み、外側周囲を複数個の保持枠によって囲み、かつ中心位置にある軸受が、回転駆動装置の回転軸と嵌合し得るカートリッジに収容してもよい。
カートリッジの形状や大きさも任意に決定することができ、例えば、円盤状、かご状あるいは断面矩形の環状中空構造体があげられる。また、保持枠の形状や数は特に限定されている訳ではないが、設計上の便宜をも考慮し、例えば上下両面には板状、また周囲には断面が丸形、三角形又は四角形状のものを複数個設けるのが適当である。
【００２２】
本発明の薬剤揮散装置は、薬剤担持体に遠心力が作用して薬剤の揮散効率を高め得るものであるが、例えばカートリッジに収容する場合、その内周側もしくは外周側にファンを一体的に装てんして、ファンによる風力を付与する構成を採用しても構わない。なお、ファンの形状や大きさは特に限定されないが、揮散性能の点からシロッコファンが適している。
更に、前記カートリッジの周囲に、スリット状、メッシュ状などの保護バーを装着し、手指などが回転するカートリッジに触れないような構成を採用することができる。この際に前記カートリッジを収納する薬剤揮散装置の一部に前記保護バーの機能を持たせてもよい。また、使用前に、カートリッジに収容した薬剤担持体から薬剤が揮散することを防止するため、カートリッジの通気部に遮蔽部材（例えば、シールテープなど）を貼付してもよく、かかる遮蔽部材は、通常使用直前に剥離される。
【００２３】
本発明で回転駆動装置として用いるモーターの仕様は、ＤＣ１．５Ｖ〜６．０Ｖ駆動で、２００〜２０００ｒｐｍの回転数を与えるものが適当である。また、電源としては、装置のシンプル化から乾電池駆動が好ましいが、１００Ｖ交流電源と共用可能にしたり、太陽電池を用いた構成にすることもできる。１００Ｖ交流電源を利用する場合、ＡＣアダプターを用いて電圧ドロップ、整流した後モーター用電源回路に供給される。ＡＣアダプターは、薬剤揮散装置に内蔵してもよいが、コンセントプラグと一体化すると、プラグと薬剤揮散装置間の電源コードを軽量化できるというメリットを有する。
【００２４】
本発明は、薬剤担持体を回転駆動装置によって回転させ遠心力が作用する状況下での昇華性物質又はゲル形成体の消失速度が、静置状態における消失速度よりも格段に高く安定していることを利用したものである。すなわち、昇華性物質又はゲル形成体の消失速度は、回転駆動装置の使用期間にほぼ相関するので、昇華性物質又はゲル形成体の消失をもって薬剤揮散装置の使用終了時点を知らしめることが可能となる。また、可撓性袋を形成する紙又は不織布の通気度を変えたり、薬剤担持体を数個に分割してその表面積を変えたりして昇華性物質又はゲル形成体の消失速度を調整し、８０時間用、１２０時間用、２４０時間用、３６０時間用など各種用途に適合させることもできる。
【００２５】
本発明の薬剤揮散装置は、シンプルで操作が簡単なことを特徴とするが、もちろん製造性やコスト面で許す限り種々の機能を付加しても構わない。
例えば、薬剤担持体の回転と休止のサイクルを繰り返し、薬剤を間欠的に揮散せしめるようにしてもよいし、スイッチオンを示すパイロットランプを別途装填してもよい。
【００２６】
こうして得られた本発明の薬剤揮散装置は、薬剤担持体を回転駆動装置によって回転させ、この遠心力の作用、好ましくはこの遠心力とファンによる風力のダブル効果によって、薬剤を効率的に揮散、放出させ、屋内又は屋外において、蚊や蚋、ハエ、ユスリカなどの各種害虫、あるいはイガ、カツオブシムシなどの衣料害虫に対してすぐれた殺虫、防虫効果を奏する。そして、薬剤担持体の消失状態を目視するだけで簡単に、薬剤担持体の交換時期とモーターの使用時間を認知できるので、極めて有用かつ実用的である。
更に、薬剤残量表示機能が薬剤担持体自体に基づくため、乾電池の電池残量と無関係に、薬剤担持体を取替えて新たに使用できるという利点を有する。
【００２７】
次に、具体的実施例ならびに試験例に基づいて、本発明の薬剤揮散装置を更に詳細に説明する。
【実施例１】
【００２８】
図１は本発明の薬剤揮散装置の一例の開蓋状態の斜視図を、図２はその蓋を閉じた状態の断面図を示す。
薬剤揮散装置１は、薬剤担持体２を可撓性袋３に収納し、これを装填したカートリッジ４とこの内側に配設されたシロッコファン５と、これらを回転させて薬剤担持体２に担持させた薬剤を揮散させるモーター６と、電源としての乾電池７を備えている。なお、カートリッジ４は断面矩形の環状中空構造体で、３ケ所に薬剤担持体２の収納用分室（上面は目視可能なように透明プラスチック板）を有し、側面に高さ方向ほぼ全長に幅２ｍｍの開口スリットを３ｍｍおきに具備している。モーター６を回転させると、遠心力とシロッコファン５による風力が生じ、上面吸気口８から流入した空気はカートリッジ４の内部を通り開口スリットから排気口９を経て流出するが、この空気の流れにのって、薬剤担持体２の表面に滲出した薬剤、ならびにこの表面から可撓性袋３に移行・拡散した薬剤が空中に放散される。
【００２９】
本実施例では、１２０時間用として、化合物Ｅ［４−メチル−２，３，５，６−テトラフルオロベンジル−２，２−ジメチル−３−（１−プロペニル）シクロプロパンカルボキシレート］１５ｍｇを、厚さ７ｍｍで略扇型状のサンサブリ（青色に着色）１．０ｇに担持させ薬剤担持体２を得た。これを、通気性のポリエチレン製不織布（目付：２５ｇ／ｍ2）からなる可撓性袋３に収納後、外径６．５ｃｍ、内径４ｃｍ、高さ２ｃｍの環状カートリッジ４の分室３ケ所に収容した。なお、モーター６として回転数が１４００ｒｐｍ仕様のものを用い、乾電池７は１．５Ｖの単４電池１個を使用した。
【００３０】
本薬剤揮散装置１にカートリッジ４を装着後スイッチをオンにし、腰に下げて６時間庭仕事に従事した。使用中、蚊やブユに悩まされることがなく、十分な防虫効果が認められた。また、使用経過とともに青色のサンサブリが徐々に減少し、延べ約１２０時間使用時点で全て消失した。本薬剤揮散装置１は、操作が簡便で薬剤残量表示機能もわかりやすく、極めて実用的であった。
【実施例２】
【００３１】
厚さ８ｍｍで外径２．８ｃｍの円盤状のアダマンタン（緑色に着色）４．２ｇに、化合物Ｂ［２，３，５，６−テトラフルオロベンジル−２，２−ジメチル−３−（１−プロペニル）シクロプロパンカルボキシレート］４２ｍｇと香料３ｍｇを担持させた薬剤担持体２を通気性の不織布（材質：レーヨン／ポリプロピレン＝９／１、目付：４０ｇ／ｍ2）からなる可撓性袋３で包んだ。カートリッジ４として、外径３．８ｃｍ、高さ１．５ｃｍの中空円盤状で、その中央下部にモーター６の回転軸と嵌合し得る軸受を備えたものを用い、モーター６や乾電池７の仕様等は実施例１に準じて、１００時間用の本薬剤揮散装置１を作製した。
【００３２】
本薬剤揮散装置１を玄関に置いて使用したところ、約１００時間にわたり蚊や各種害虫の虫よけに有効であった。約１００時間使用後、緑色のアダマンタンが消失し、カートリッジの交換時期を明瞭に認識することができた。なお、薬剤担持体２を通気性の不織布からなる可撓性袋３で包んだ本薬剤揮散装置１は、不織布で包まない場合と比べて、薬剤の揮散と担体であるアダマンタンの消失がより平行的に進行することが認められた。
【実施例３】
【００３３】
化合物Ｍ［４−メトキシメチル−２，３，５，６−テトラフルオロベンジル−２，２，３，３−テトラメチルシクロプロパンカルボキシレート］７０ｍｇ、フタール酸ジメチル（３ｇ）、ゲル化剤Ａ（０．４ｇ）及び青色色素の混合物を加熱溶解させ、これを円盤状容器に注ぎ込み放冷した。得られた薬剤担持体２を、通気性の和紙（材質：パルプ／ポリエチレン＝８／２、目付：３５ｇ／ｍ2）からなる可撓性袋３で包み、他の仕様等は実施例２に準じて、２００時間用の本薬剤揮散装置１を作製した。
【００３４】
本薬剤揮散装置１をペット小屋で使用したところ、約２００時間にわたり、犬は蚊や各種害虫に悩まされることはなかった。約２００時間使用後、青色のゲル形成体がほとんど消失し、カートリッジの交換時期の表示は明瞭であった。
【実施例４】
【００３５】
実施例１に準じ、薬剤担持体２を収納する可撓性袋３を装填したファン付きカートリッジ(断面矩形の環状中空構造体)と、乾電池で駆動するモーターを備えた２４０時間用の各種薬剤揮散装置を作製し、性能試験を行った。なお、殺虫効力は、ｄｌ，ｄ−シス／トランス−アレスリン（ピナミンフォルテ）を含有する蚊取マットを発熱体放熱板温度１６０℃の条件で蒸散させた時の初期仰転効果を１．００として相対有効比で示した。
【００３６】
【表１】
2006296335.tif 000005
【００３７】
本発明の薬剤揮散装置は、２４０時間の長期にわたり優れた殺虫効力を保持し、昇華性物質又はゲル形成体の消失によって使用期間の終点を容易に認知することができ、薬剤残量表示機能としてもすぐれていた。
これに対し、比較例１のように、電気的制御機構による液晶表示を具備したものは、終点の表示は正確であるが装置が複雑でコスト高が免れなかった。一方、比較例２の如く、薬剤担持体中の薬剤残量と連動する染料を使用し、色の変化を終点表示に利用するタイプは、２４０時間後の時点で色調の幅があり、不明瞭であった。
従って、本発明の有用性が確認された。
【図面の簡単な説明】
【００３８】
【図１】本発明の薬剤揮散装置の一例の開蓋状態の斜視図を示す。
【図２】その蓋を閉じた状態の断面図を示す。
【符号の説明】
【００３９】
１：薬剤揮散装置
２：薬剤担持体
３：可撓性袋
４：カートリッジ
５：シロッコファン
６：モーター
７：乾電池
８：吸気口
９：排気口
【図１】
2006296335.tif 000007
【図２】
2006296335.tif 000008